(57)【要約】【課題】全体の低背化が図られたもとにあっても、複数のケーブルを伴って相手方コネクタ装置に嵌合接続された状態を弾性シェル部材によって適正に維持することができるケーブルコネクタ装置を提供する。【解決手段】絶縁ハウジング１５と複数の同軸ケーブル１３が接続される複数のコンタクトと相手方コネクタ装置に対する弾性保持係合状態をとる弾性シェル部材１７とを備え、弾性シェル部材が、絶縁ハウジングを部分的に覆うカバー部２５と、絶縁ハウジングの周囲に沿って伸びて内面部を相手方コネクタ装置の外面部に弾性当接させる係合部分を成す帯状部２６と、帯状部の端部から屈曲して伸びて自由端部を有した延伸帯状部２７とを有して形成され、帯状部及び延伸帯状部がバネ部を形成しているとともに、カバー部から延伸帯状部に対する外側からの位置規制を行う抑え部２８が伸びている。【選択図】図７
2019197684.tif 000002
【特許請求の範囲】
【請求項１】
回路基板の部品搭載面に固定された相手方コネクタ装置が備える相手方絶縁ハウジングとの嵌合状態をとる絶縁ハウジングと、
各々が、上記相手方絶縁ハウジングに配列配置されて上記回路基板に接続された複数の相手方コンタクトのうちの対応するものに接触接続される接触部とケーブルが接続される接続部とを有していて、上記絶縁ハウジングに配列配置される複数のコンタクトと、
上記絶縁ハウジングに取り付けられて、上記相手方コネクタ装置に対する弾性保持係合状態をとる弾性シェル部材と、
を備えて構成され、
上記弾性シェル部材が、上記絶縁ハウジングにおける上記複数のコンタクトが配列配置された部分を覆うカバー部と、該カバー部に連結されたもとで上記絶縁ハウジングの周囲に沿って伸びて内面部を上記相手方コネクタ装置の外面部に弾性当接させる係合部分を成す帯状部と、該帯状部の端部から屈曲して伸びて自由端部を有した延伸帯状部とを有して形成され、上記帯状部及び上記延伸帯状部がバネ部を形成しているとともに、上記カバー部から上記延伸帯状部に対する該延伸帯状部の外側からの位置規制を行う抑え部が伸びていることを特徴とするケーブルコネクタ装置。
【請求項２】
上記抑え部が、上記カバー部から上記延伸帯状部の外面部に沿って伸びる規制部分と、該規制部分から屈曲可能に伸びて上記延伸帯状部を覆う覆い部分とを有していることを特徴とする請求項１記載のケーブルコネクタ装置。
【請求項３】
上記弾性シェル部材が、上記帯状部が該帯状部の両端部を所定の間隔を置いて相互対向させる状態をもって上記絶縁ハウジングを部分的に取り囲むものとされた単一部材を形成しており、上記帯状部の両端部から一対の上記延伸帯状部が夫々屈曲して伸びて相互対向していることを特徴とする請求項１記載のケーブルコネクタ装置。
【請求項４】
上記弾性シェル部材における相互対向する上記一対の延伸帯状部の間となる部位において、上記絶縁ハウジングに配列配置された上記複数のコンタクトが夫々有する複数の接続部が上記絶縁ハウジングの外部に臨んでいることを特徴とする請求項３記載のケーブルコネクタ装置。
【請求項５】
上記弾性シェル部材が、上記絶縁ハウジングに取り付けられた一対の部材を形成しており、該一対の部材を夫々形成する一対の弾性シェル部材の各々の上記帯状部が上記絶縁ハウジングを挟んで相互対向し、上記一対の弾性シェル部材の各々の上記延伸帯状部が所定の間隔を置いて相互対向する位置に配されることを特徴とする請求項１記載の基板コネクタ装置。
【請求項６】
上記一対の弾性シェル部材の各々の上記延伸帯状部の間となる部位において、上記絶縁ハウジングに配列配置された上記複数のコンタクトが夫々有する複数の接続部が上記絶縁ハウジングの外部に臨んでいることを特徴とする請求項５記載のケーブルコネクタ装置。
【発明の詳細な説明】
【技術分野】
【０００１】
本願の特許請求の範囲に記載された発明は、複数の比較的細い同軸ケーブル等のケーブルを、各種の電気部品が取り付けられる回路基板に接続するにあたり、複数のケーブルが接続されたものとされて、回路基板に取り付けられた相手方コネクタ装置に嵌合接続されるケーブルコネクタ装置に関する。
【背景技術】
【０００２】
複数の比較的細い同軸ケーブルや比較的小型なフレキシブル印刷配線基板を、各種の電気部品が取り付けられる回路基板に接続するにあたっては、複数の同軸ケーブルあるいはフレキシブル印刷配線基板が接続されるプラグコネクタを成すコネクタ装置と、回路基板にそれとの電気的接続がなされて取り付けられ、プラグコネクタを成すコネクタ装置が嵌合接続されるリセプタクルコネクタを成す相手方コネクタ装置と、が用いられることが多い。斯かる際には、プラグコネクタを成すコネクタ装置が、複数の同軸ケーブルあるいはフレキシブル印刷配線基板との電気的接続がなされて絶縁ハウジングに配列配置される複数のコンタクトを備えたものとされ、また、リセプタクルコネクを成す相手方コネクタ装置が、各々が回路基板に設けられた端子部に接続されるもとで相手方絶縁ハウジングに配列配置される複数の相手方コンタクトを備えたものとされる。
【０００３】
そして、プラグコネクタを成すコネクタ装置がリセプタクルコネクタを成す相手方コネクタ装置に嵌合接続されるときには、コネクタ装置の絶縁ハウジングが相手方コネクタ装置の相手方絶縁ハウジングとの嵌合状態をとるものとされ、それに伴って、コネクタ装置の複数のコンタクトが相手方コネクタ装置の複数の相手方コンタクトに夫々接触接続される。それにより、コネクタ装置に接続された複数の同軸ケーブルあるいはフレキシブル印刷配線基板が、複数のコンタクト及び複数の相手方コンタクトを介して、相手方コネクタ装置が取り付けられた回路基板に電気的に接続される。
【０００４】
このようなプラグコネクタを成すコネクタ装置及びリセプタクルコネクタを成す相手方コネクタ装置にあっては、コネクタ装置の複数のコンタクトが相手方コネクタ装置の複数の相手方コンタクトに夫々接触接続されることになる、コネクタ装置が相手方コネクタ装置に嵌合接続された状態が、適正かつ安定に維持されることが求められる。それゆえ、従来にあっては、コネクタ装置もしくは相手方コネクタ装置またはコネクタ装置と相手方コネクタ装置との両者に付随するものとして設けられて、コネクタ装置が相手方コネクタ装置に嵌合接続された状態を維持するための保持機構が幾つか提案されている（例えば、特許文献１参照。）。
【０００５】
特許文献１に示される保持機構は、プラグコネクタを成すコネクタ装置（多極コネクタ(10)) とリセプタクルコネクタを成す相手方コネクタ装置（相手方コネクタ(50)) とに関わるものとされている。特許文献１におけるコネクタ装置（多極コネクタ(10)) は、絶縁ハウジング（絶縁部材(16)) ，絶縁ハウジングに配された各々が導体で成る複数のコンタクト（内部端子(14a〜14c)) 及び金属板に折曲加工が施されて形成されて絶縁ハウジングにそれを部分的に包囲する状態をもって固定された弾性シェル部材（外部端子(12)) を備えて構成されている。そして、弾性シェル部材は、帯状に形成されて絶縁ハウジングの周囲に配される骨格部(21)及び骨格部(21)における角部に設けられたガイド部(22a〜22d)とを有した外枠部(20)と、骨格部(21)に設けられた折り曲げ部(24a, 24b)及び接続部(26a〜26c)と、を備えて構成されている。ガイド部(22a〜22d)は、骨格部(21)の内側に張り出した凸部 (P1〜P4) を夫々形成している。
【０００６】
斯かるコネクタ装置（多極コネクタ(10)) は、第１の回路基板に実装されるが、その際には、弾性シェル部材を構成する外枠部(20)が有する骨格部(21)に設けられた折り曲げ部(24a, 24b)及び接続部(26a〜26c)が第１の回路基板の部品搭載面に設けられたランド電極に半田付け接続されることにより、コネクタ装置（多極コネクタ(10)) が第１の回路基板に取りつけられる。第１の回路基板に取りつけられたコネクタ装置（多極コネクタ(10)) にあっては、複数のコンタクトが第１の回路基板の部品搭載面に設けられた電極部に接続される。
【０００７】
このようにして、第１の回路基板に実装されたコネクタ装置（多極コネクタ(10)) は、第２の回路基板に実装された相手方コネクタ装置（相手方コネクタ(50)) との嵌合接続状態におかれる。相手方コネクタ装置は、相手方絶縁ハウジング（絶縁部材(66)) ，相手方絶縁ハウジングに配された各々が導体で成る複数の相手方コンタクト（内部端子(64a〜64c)) 及び金属板に折曲加工が施されて形成されて相手方絶縁ハウジングにそれを包囲する状態をもって固定された相手方弾性シェル部材（外部端子(52)) を備えて構成されている。そして、相手方弾性シェル部材は、第２の回路基板の部品搭載面に固定される底面部(54)と、帯状に形成されて相手方絶縁ハウジングを包囲する状態をもって配され、コネクタ装置（多極コネクタ(10)) に接続されるものとされた内枠部(56)とを備えて構成されている。また、内枠部(56)には、それにおける角部に凹部 (Q1〜Q4) が設けられている。さらに、相手方弾性シェル部材が備える底面部(54)が第２の回路基板の部品搭載面に固定されて、相手方コネクタ装置が第２の回路基板に実装されたもとにあっては、複数の相手方コンタクトが第２の回路基板の部品搭載面に設けられた電極部に接続される。
【０００８】
斯かる相手方コネクタ装置にコネクタ装置（多極コネクタ(10)) が嵌合接続される際には、コネクタ装置（多極コネクタ(10)) における弾性シェル部材を構成する外枠部(20)の骨格部(21)が、相手方コネクタ装置における相手方弾性シェル部材を構成する内枠部(56)に、骨格部(21)の内面部を内枠部(56)の外面部に接触させる状態をもって、弾性嵌合せしめられる。斯かる外枠部(20)の骨格部(21)の内枠部(56)との弾性嵌合に伴って、外枠部(20)が有するガイド部(22a〜22d)が形成するものとされた骨格部(21)の内側に張り出した凸部 (P1〜P4) が内枠部(56)に設けられた凹部 (Q1〜Q4) に夫々かみ合い、それにより、外枠部(20)の骨格部(21)による内枠部(56)に対する係止が行われて、コネクタ装置（多極コネクタ(10)) が相手方コネクタ装置に嵌合接続された状態が維持されることが期待されている。従って、コネクタ装置（多極コネクタ(10)) における弾性シェル部材を構成する外枠部(20)と相手方コネクタ装置における相手方弾性シェル部材を構成する内枠部(56)とが、コネクタ装置（多極コネクタ(10)) が相手方コネクタ装置に嵌合接続された状態を維持するための保持機構を構成していることになる。また、このとき、コネクタ装置（多極コネクタ(10)) が備える複数のコンタクトが、相手方コネクタ装置が備える複数の相手方コンタクトに夫々接触接続される。それにより、コネクタ装置（多極コネクタ(10)) が実装された第１の回路基板が、コネクタ装置（多極コネクタ(10)) 及び相手方コネクタ装置を介在させて、相手方コネクタ装置が実装された第２の回路基板に電気的に連結されたものとされる。
【先行技術文献】
【特許文献】
【０００９】
【特許文献１】特再表ＷＯ２０１６／１７８３５６号公報
【発明の概要】
【発明が解決しようとする課題】
【００１０】
上述のような、従来提案されている保持機構により相手方コネクタ装置との嵌合接続状態が維持されることが期待されるものとされたコネクタ装置にあっては、次のような不都合が見られる。
【００１１】
特許文献１に示されるコネクタ装置（多極コネクタ(10)) にあっても、通常、それが装着された第１の回路基板の部品搭載面に直交する方向の寸法が比較的小とされる低背化を含めた小型化が要求される。そして、コネクタ装置（多極コネクタ(10)) における弾性シェル部材を構成する外枠部(20)の骨格(21)は、コネクタ装置（多極コネクタ(10)) の低背化に伴って、その第１の回路基板の部品搭載面に直交する方向の寸法（以下、縦幅寸法という。）が低減せしめられたものとされる。
【００１２】
斯かるもとにおいて、特許文献１に示されるコネクタ装置（多極コネクタ(10)) が相手方コネクタ装置との嵌合接続状態におかれるときには、コネクタ装置（多極コネクタ(10)) における弾性シェル部材を構成する外枠部(20)の骨格部(21)が、相手方コネクタ装置における相手方弾性シェル部材を構成する内枠部(56)に、骨格部(21)の内面部を内枠部(56)の外面部に接触させる状態をもって弾性嵌合せしめられ、その際、外枠部(20)が有するガイド部(22a〜22d)が形成するものとされた骨格部(21)の内側に張り出した凸部 (P1〜P4) が内枠部(56)に設けられた凹部 (Q1〜Q4) に夫々かみ合うことによって、相手方コネクタ装置に嵌合接続された状態の維持がなされることになるが、凸部 (P1〜P4) が凹部 (Q1〜Q4) に夫々かみ合う際には、凸部 (P1〜P4) の夫々が凹部 (Q1〜Q4) の夫々の周縁部を乗り越えて凹部 (Q1〜Q4) の夫々に係合する。それにより、外枠部(20)の骨格部(21)は、相手方弾性シェル部材を構成する内枠部(56)に弾性嵌合せしめられる際には、一旦、凸部 (P1〜P4) が内枠部(56)に設けられた凹部 (Q1〜Q4) の周縁部を乗り越える際に当該周縁部から受ける当接押圧に起因する変形を生じた後、凸部 (P1〜P4) を凹部 (Q1〜Q4) に係合させるべく自らの弾性復元力によって元に戻ろうとするのである。その結果、凸部 (P1〜P4) の凹部 (Q1〜Q4) とのかみ合いは、凸部 (P1〜P4) を形成するガイド部(22a〜22d)を有した外枠部(20)の骨格部(21)の低背化さらにはその経時変化がもたらす悪影響を受けることになる。
【００１３】
より詳細に述べるに、骨格部(21)及び凸部 (P1〜P4) を形成するガイド部(22a〜22d)を有した外枠部(20)は、コネクタ装置（多極コネクタ(10)) における弾性シェル部材を構成するものであって、弾性シェル部材は金属板に折曲加工が施されて形成されているので、外枠部(20)の骨格部(21)も金属板に折曲加工が施されて形成されていることになる。それゆえ、外枠部(20)の骨格部(21)は、コネクタ装置（多極コネクタ(10)) の低背化に伴って縦幅寸法の低減が図られたもとにあっては、充分な弾性を具えることが難しいものとされ、さらには、経時変化に伴う弾性復元力の低下を、所謂、“へたり”として生じるものとなって、外枠部(20)が有するガイド部(22a〜22d)が形成する凸部 (P1〜P4) の相手方弾性シェル部材を構成する内枠部(56)に設けられた凹部 (Q1〜Q4) とのかみ合いに不都合をもたらすことになる虞を伴っているのである。
【００１４】
斯かるもとで、弾性シェル部材を構成する外枠部(20)の骨格部(21)が、充分な弾性を具えることが難しいものとされたもとで、その経時変化に伴って弾性復元力を低下させる“へたり”を生じると、内側にガイド部(22a〜22d)が形成する凸部 (P1〜P4) が張り出した外枠部(20)の骨格部(21)は、相手方弾性シェル部材を構成する内枠部(56)との弾性嵌合に伴って、一旦、凸部 (P1〜P4) が内枠部(56)に設けられた凹部 (Q1〜Q4) の周縁部を乗り越える際に当該周縁部から受ける当接押圧に起因する変形を生じた後、凸部 (P1〜P4) を凹部 (Q1〜Q4) に係合させるべく自らの弾性復元力によって元に戻ろうとするとき、元来弾性が充分でないもとでの弾性復元力の低下に起因して、充分な復元状態が得られないものとなり、凸部 (P1〜P4) を凹部 (Q1〜Q4) に弾性押圧力を作用させつつ適正に係合させることができなくなってしまう。その結果、弾性シェル部材を構成する外枠部(20)の骨格部(21)による相手方弾性シェル部材を構成する内枠部(56)に対する係止が適正に行われなくなり、コネクタ装置（多極コネクタ(10)) が相手方コネクタ装置に嵌合接続された状態が適正に維持されなくなってしまうのである。
【００１５】
斯かる点に鑑み、本願の特許請求の範囲に記載された発明は、複数の比較的細い同軸ケーブル等のケーブルを各種の電気部品が取り付けられる回路基板に接続するために複数のケーブルが接続されて用いられ、相手方コネクタ装置との嵌合接続状態におかれるとき相手方コネクタ装置に対する弾性保持係合状態をとる係合部分を含んだ弾性シェル部材を備えていて、全体の低背化が図られたもとにあっても、弾性シェル部材における係合部分を充分な弾性を具えたものとすることができるとともに、弾性シェル部材における係合部分の経時変化がもたらす悪影響を受け難いものとされて、相手方コネクタ装置に嵌合接続された状態を適正に維持することができるケーブルコネクタ装置を提供する。
【課題を解決するための手段】
【００１６】
本願の特許請求の範囲における請求項１から請求項６までのいずれかに記載された発明（以下、本願発明という。）に係るケーブルコネクタ装置は、回路基板の部品搭載面に固定された相手方コネクタ装置が備える相手方絶縁ハウジングとの嵌合状態をとる絶縁ハウジングと、各々が、相手方絶縁ハウジングに配列配置されて回路基板に接続された複数の相手方コンタクトのうちの対応するものに接触接続される接触部とケーブルが接続される接続部とを有していて、絶縁ハウジングに配列配置される複数のコンタクトと、絶縁ハウジングに取り付けられて、相手方コネクタ装置に対する弾性保持係合状態をとる弾性シェル部材とを備えて構成され、弾性シェル部材が、絶縁ハウジングにおける複数のコンタクトが配列配置された部分を覆うカバー部と、カバー部に連結されたもとで絶縁ハウジングの周囲に沿って伸びて内面部を相手方コネクタ装置の外面部に弾性当接させる係合部分を成す帯状部と、帯状部の端部から屈曲して伸びて自由端部を有した延伸帯状部とを有して形成され、帯状部及び延伸帯状部がバネ部を形成しているとともに、カバー部から延伸帯状部に対するその外側からの位置規制を行う抑え部が伸びていることを特徴とするものとされる。
【００１７】
上述のような本願発明に係るケーブルコネクタ装置にあっては、絶縁ハウジングに取り付けられて相手方コネクタ装置に対し弾性的に保持係合する状態（弾性保持係合状態）をとる弾性シェル部材が、絶縁ハウジングにおける複数のコンタクトが配列配置された部分を覆うカバー部と、カバー部に連結されたもとで絶縁ハウジングの周囲に沿って伸びて内面部を相手方コネクタ装置の外面部に弾性当接させる係合部分を成す帯状部と、帯状部の端部から屈曲して伸びて自由端部を有した延伸帯状部とを有して形成されている。そして、絶縁ハウジングに配列配置された複数のコンタクトの各々が有する接続部にケーブルが接続されたもとで、回路基板の部品搭載面に固定された相手方コネクタ装置に嵌合接続され、絶縁ハウジングが相手方絶縁ハウジングとの嵌合状態をとって、ケーブルが接続された接続部を有するものとされた複数のコンタクトの夫々の接触部が、各々が相手方絶縁ハウジングに配列配置されて回路基板に接続された複数の相手方コンタクトのうちの対応するものに接触接続されたものとされる。それにより、ケーブルコネクタ装置の複数のコンタクトに夫々接続された複数のケーブルと相手方コネクタ装置が固定された回路基板とが、ケーブルコネクタ装置及び相手方コネクタ装置を介在させて、電気的に相互連結されたものとされる。
【００１８】
このようにして、本願発明に係るケーブルコネクタ装置が相手方コネクタ装置との嵌合接続状態におかれるときには、弾性シェル部材におけるカバー部に連結されたもとで絶縁ハウジングの周囲に沿って伸びる係合部分を成す帯状部が、その内面部を相手方コネクタ装置の外面部、例えば、相手方コネクタ装置におけるそれを回路基板の部品搭載面に固定する保持金具部材の外面部に弾性当接させて、相手方コネクタ装置に対する係止作用を果たすものとされる。それにより、本願発明に係るケーブルコネクタ装置についての相手方コネクタ装置との嵌合接続状態が適正かつ安定に維持される。
【発明の効果】
【００１９】
本願発明に係るケーブルコネクタ装置においては、相手方コネクタ装置との嵌合接続状態におかれるときには、弾性シェル部材におけるカバー部に連結されたもとで絶縁ハウジングの周囲に沿って伸びる係合部分を成す帯状部が、その内面部を相手方コネクタ装置の外面部に弾性当接させて、相手方コネクタ装置に対する係止作用を果たすものとされるが、このとき、弾性シェル部材における帯状部及び帯状部の端部から屈曲して伸びて自由端部を有した延伸帯状部がバネ部を形成していて、延伸帯状部がカバー部から伸びる抑え部による延伸帯状部の外側からの位置規制を受けるものとされているので、帯状部の内面部が相手方コネクタ装置の外面部に弾性当接する状態は、弾性シェル部材における帯状部及び延伸帯状部が形成するバネ部による弾性押圧力が、帯状部に作用して帯状部の内面部を相手方コネクタ装置の外面部に押し付けるもとでとられる。斯かるもとで、帯状部の端部から屈曲して伸びて自由端部を有していて、抑え部による外側からの位置規制を受ける延伸帯状部が設けられていることにより、帯状部及び延伸帯状部の全体が構成するバネ部が帯状部に及ぼす弾性押圧力は、延伸帯状部によって増強されたものとされる。
【００２０】
上述のように構成される弾性シェル部材を備えていることにより、本願発明に係るケーブルコネクタ装置は、その全体の低背化が図られ、それに伴って帯状部を含んだ弾性シェル部材が相手方コネクタ装置が固定された回路基板の部品搭載面に直交する方向の寸法が比較的小とされるもとにあっても、弾性シェル部材における帯状部が充分な弾性を備えたものとされるとともに、弾性シェル部材における帯状部の経時変化がもたらす悪影響を受け難いものとされる。その結果、本願発明に係るケーブルコネクタ装置によれば、その全体の低背化が図られたもとにおいても、相手方コネクタ装置との嵌合接続状態におかれるとき、弾性シェル部材における帯状部及び延伸帯状部の全体が構成するバネ部による弾性押圧力が、帯状部に作用して帯状部の内面部を相手方コネクタ装置の外面部に押し付ける状態が適正に得られることになり、本願発明に係るケーブルコネクタ装置が相手方コネクタ装置に嵌合接続された状態を適正に維持することができる。
【図面の簡単な説明】
【００２１】
【図１】本願発明に係るケーブルコネクタ装置の一例を構成するプラグコネクタをそれに接続された複数の同軸ケーブルと共に示すとともに、当該プラグコネクタが嵌合接続される相手方コネクタ装置を構成するリセプタクルコネクタをそれが固定された回路基板と共に示す斜視図である。
【図２】図１に示される複数の同軸ケーブルを伴ったプラグコネクタを示す底面図である。
【図３】図１に示されるプラグコネクタが備える絶縁ハウジングをそれに配されたインナーシェル部材及びそれに配列配置された複数のコンタクトと共に示す斜視図である。
【図４】図３に示される複数のコンタクトに複数の同軸ケーブルが接続され、さらに、複数の同軸ケーブルの外側導体がグラウンドバーによって連結された状態を示す斜視図である。
【図５】図３に示される複数のコンタクトに複数の同軸ケーブルが接続された状態を示す底面図である。
【図６】図１に示されるプラグコネクタが備える弾性シェル部材を単独で示す斜視図である。
【図７】図５に示されるインナーシェル部材が配されるとともに複数の同軸ケーブルが接続された複数のコンタクトが配列配置された絶縁ハウジングに、図６に示される弾性シェル部材が係合せしめられた状態を示す斜視図である。
【図８】図５に示されるインナーシェル部材が配されるとともに複数の同軸ケーブルが接続された複数のコンタクトが配列配置された絶縁ハウジングに、図６に示される弾性シェル部材が係合せしめられた状態を示す底面図である。
【図９】図７に示される弾性シェル部材における抑え部が折り曲げられた状態を示す斜視図である。
【図１０】図１に示されるリセプタクルコネクタを示す平面図である。
【図１１】図１に示される複数のケーブルを伴ったプラグコネクタが、図１に示される回路基板を伴ったリセプタクルコネクタに嵌合接続された状態を示す斜視図である。
【図１２】図１に示される複数のケーブルを伴ったプラグコネクタが、図１に示されるリセプタクルコネクタに嵌合接続された状態を示す平面図である。
【図１３】図１に示されるプラグコネクタが図１に示されるリセプタクルコネクタに嵌合接続された状態を示す側面図である。
【図１４】図１に示される複数のケーブルを伴ったプラグコネクタが、図１に示されるリセプタクルコネクタに嵌合接続された状態を示す底面図である。
【図１５】図１３におけるXV−XV線断面を示す断面図である。
【発明を実施するための形態】
【００２２】
本願発明を実施するための形態は、以下に述べられる本願発明に係るケーブルコネクタ装置ついての実施例をもって説明される。
【実施例】
【００２３】
図１は、本願発明に係るケーブルコネクタ装置の一例を構成するプラグコネクタ１１及びプラグコネクタ１１が嵌合接続される相手方コネクタ装置を構成するリセプタクルコネクタ１２を、プラグコネクタ１１に接続された複数の比較的細い同軸ケーブル１３及びリセプタクルコネクタ１２が固定された回路基板１４と共に示す。リセプタクルコネクタ１２は、回路基板１４における図１において上方に向いた部品搭載面１４ａに固定されている。
【００２４】
本願発明に係るケーブルコネクタ装置の一例を構成するプラグコネクタ１１は、複数の同軸ケーブル１３を伴ったプラグコネクタ１１を示す底面図である図２にも示されているように、合成樹脂等の絶縁材料によって形成された絶縁ハウジング１５と、絶縁ハウジング１５に配列配置された、各々が弾性を有した導電性板材により形成された帯状部材を成す複数のコンタクト１６と、絶縁ハウジング１５に取りつけられた、弾性を有した導電性板材に屈曲加工が施されて形成された弾性シェル部材１７とを備えている。絶縁ハウジング１５には、金属板材によって形成されたインナーシェル部材１８がインサート成形により絶縁ハウジング１５と一体化されて配されており、斯かるインナーシェル部材１８は絶縁ハウジング１５を補強するものとされている。
【００２５】
図３に示されるように、インナーシェル部材１８を伴った絶縁ハウジング１５には、複数の透孔１９が配列形成された天板状部２０と、インナーシェル部材１８による補強が図られたケーブル支持部２１とが設けられている。このような絶縁ハウジング１５に配列配置された複数のコンタクト１６は、各々が同軸ケーブル１３の中心導体１３ａ（後述される図４に示されている。）が接続される接続部１６ａと回路基板１４の部品搭載面１４ａに固定されたリセプタクルコネクタ１２のコンタクト３７（後述される図１０に示されている。）に接触接続される接触部１６ｂとを有したものとされて、インサート成形により絶縁ハウジング１５に部分的に埋め込まれて絶縁ハウジング１５と一体化されている。そして、複数のコンタクト１６の夫々が有する接続部１６ａが、絶縁ハウジング１５に設けられたケーブル支持部２１において絶縁ハウジング１５の外部に露出しており、また、複数のコンタクト１６の夫々が有する接触部１６ｂが、絶縁ハウジング１５に設けられた天板状部２０に形成された透孔１９内に配されている。
【００２６】
図４及び図５に示されるように、図３に示されるインナーシェル部材１８を伴った絶縁ハウジング１５に対して、各々の一端において中心導体１３ａ及び外側導体１３ｂが露出せしめられた複数の同軸ケーブル１３が、夫々の中心導体１３ａが絶縁ハウジング１５に設けられたケーブル支持部２１において露出するコンタクト１６の接続部１６ａに配されるとともに、夫々の外側導体１３ｂがケーブル支持部２１を補強するインナーシェル部材１８における露出部分に対応する位置をとる状態をもって載置される。コンタクト１６の接続部１６ａに配された同軸ケーブル１３の中心導体１３ａは、例えば、半田付けによってコンタクト１６の接続部１６ａに接続され、また、インナーシェル部材１８における露出部分に対応する位置をとる同軸ケーブル１３の外側導体１３ｂは相互対向する一対のグラウンドバー２２によって挟持され、複数の同軸ケーブル１３が夫々有する外側導体１３ｂがグラウンドバー２２によって連結された状態におかれる。相互対向する一対のグラウンドバー２２のうちの一方には、インナーシェル部材１８における露出部分がそれに形成された透孔１８ａを通じて半田付けされる。
【００２７】
図１に示されるプラグコネクタ１１が備える絶縁ハウジング１５に取り付けられた弾性シェル部材１７は、図６にも単独で示されているように、絶縁ハウジング１５における複数のコンタクト１６が配列配置された部分である天板状部２０及びケーブル支持部２１を覆うカバー部２５と、カバー部２５に連結されたもとで絶縁ハウジング１５の周囲に沿って伸びる係合部分を成す帯状部２６と、帯状部２６の端部から屈曲して伸びて自由端部を有した延伸帯状部２７とを有して構成されている。そして、帯状部２６及び延伸帯状部２７は、全体としてバネ部を形成しており、また、カバー部２５からは、延伸帯状部２７に対する延伸帯状部２７の外側からの位置規制を行う抑え部２８が伸びている。カバー部２５から伸びる抑え部２８は、カバー部２５から延伸帯状部２７の外面部に沿って伸びる規制部分２９と規制部分２９から屈曲可能に伸びて延伸帯状部２７を覆う覆い部分３０とを有している。このようなもとで、弾性シェル部材１７における係合部分を成す帯状部２６は、プラグコネクタ１１がリセプタクルコネクタ１２に嵌合接続されたとき、その内面部をリセプタクルコネクタ１２の外面部に弾性当接させるものとされている。
【００２８】
このような弾性シェル部材１７は、カバー部２５に連結された帯状部２６がその両端部を所定の間隔を置いて相互対向させる状態をもって絶縁ハウジング１５を部分的に取り囲むものとされた単一部材を形成していて、帯状部２６の両端部から一対の延伸帯状部２７が夫々屈曲して伸びて相互対向するものとされている。そして、カバー部２５からは、一対の延伸帯状部２７に夫々対応する一対の抑え部２８が相互対向するものとして伸びている。但し、弾性シェル部材１７は、斯かる図１及び図６に示される例に限られるものではなく、例えば、弾性シェル部材１７が、絶縁ハウジング１５に取り付けられた一対の部材を形成しており、斯かる一対の部材を夫々形成する一対の弾性シェル部材１７の各々の帯状部２６が絶縁ハウジング１５を挟んで相互対向するものとされ、一対の弾性シェル部材１７の各々の延伸帯状部２７が、所定の間隔を置いて相互対向する位置に配されて各々の自由端部を所定の間隔を置いて相互対向させるもとで、カバー部２５から伸びる抑え部２８によって外側から位置規制されるものとされてもよい。
【００２９】
図７（斜視図）及び図８（底面図）は、図５に示されるインナーシェル部材１８が配されるとともに複数の同軸ケーブル１３が夫々接続された複数のコンタクト１６が配列配置された絶縁ハウジング１５に、図６に示される弾性シェル部材１７が係合せしめられた状態を示す。斯かるもとにあっては、弾性シェル部材１７におけるカバー部２５が、絶縁ハウジング１５における複数のコンタクト１６が配列配置された部分である天板状部２０及びケーブル支持部２１を覆うとともに、カバー部２５に連結された帯状部２６が、絶縁ハウジング１５における天板状部２０の周囲を三方から取り囲み、かつ、帯状部２６の端部から屈曲して伸びる一対の延伸帯状部２７が絶縁ハウジング１５におけるケーブル支持部２１を挟んで相互対向するものとされる。
【００３０】
図７（斜視図）及び図８に示されるように、インナーシェル部材１８が配されるとともに複数の同軸ケーブル１３が夫々接続された複数のコンタクト１６が配列配置された絶縁ハウジング１５に弾性シェル部材１７が係合せしめられた後、図９に示されるように、弾性シェル部材１７におけるカバー部２５から伸びる一対の抑え部２８の夫々を構成する覆い部分３０が内側へと屈曲せしめられて、弾性シェル部材１７における一対の延伸帯状部２７の夫々が、抑え部２８を構成する規制部分２９によって外側から位置規制されるとともに、抑え部２８を構成する覆い部分３０によって覆われるものとされる状態がとられる。それにより、弾性シェル部材１７における一対の延伸帯状部２７の夫々に対する規制部分２９及び覆い部分３０を含んだ抑え部２８による位置規制が、より適正かつ確実に行われる。さらに、弾性シェル部材１７におけるカバー部２５が、複数の同軸ケーブル１３の外側導体１３ｂを挟持して相互対向する一対のグラウンドバー２２のうちの他方に、カバー部２５に形成された透孔２５ａを通じて半田付けされる。その結果、図１に示される、複数の同軸ケーブル１３が接続されたプラグコネクタ１１が得られることになる。
【００３１】
上述のようなプラグコネクタ１１が嵌合接続される相手方コネクタ装置を構成するリセプタクルコネクタ１２は、リセプタクルコネクタ１２の平面図である図１０にも示されているように、合成樹脂等の絶縁材料によって形成された絶縁ハウジング３５と各々が絶縁ハウジング３５に、例えば、インサート成形によって取りつけられた一対の保持金具部材３６とを備えている。
【００３２】
絶縁ハウジング３５には、プラグコネクタ１１がリセプタクルコネクタ１２に嵌合接続されたとき、プラグコネクタ１１内に入り込むものとされる突起部３５ａが設けられており、また、各々が弾性を有した導電性板材により形成された帯状部材を成す複数のコンタクト３７が配列配置されている。複数のコンタクト３７の各々は、回路基板１４の部品搭載面１４ａに設けられた端子部に接続される接続部３７ａと複数の同軸ケーブル１３が接続されたプラグコネクタ１１におけるコンタクト１６の接触部１６ｂに接触接続される接触部３７ｂとを有している。複数のコンタクト３７が夫々有する複数の接続部３７ａは、絶縁ハウジング３５からその外部へと突出しており、それらの各々が回路基板１４の部品搭載面１４ａに設けられた端子部に、例えば、半田付けによって接続される。また、複数のコンタクト３７が夫々有する複数の接触部３７ｂは、絶縁ハウジング３５に設けられた突起部３５ａの内側壁面及び天頂面に沿うものとして配されている。
【００３３】
一対の保持金具部材３６は、絶縁ハウジング３５に配列配置された複数のコンタクト３７の配列方向において絶縁ハウジング３５を挟んで相互対向するものとして配されている。そして、一対の保持金具部材３６の夫々は、絶縁ハウジング３５に沿って伸びる帯状体を成す本体部３８と本体部３８から突出して回路基板１４の部品搭載面１４ａに固着される複数の固定部３９とを有している。本体部３８は、プラグコネクタ１１がリセプタクルコネクタ１２に嵌合接続されたとき、その外面部にプラグコネクタ１１の弾性シェル部材１７における帯状部２６の内面部が弾性当接するものとされている。また、複数の固定部３９の夫々は、例えば、半田付けによって回路基板１４の部品搭載面１４ａに固着され、それにより、リセプタクルコネクタ１２が回路基板１４の部品搭載面１４ａに固定されることになるものとされている。
【００３４】
このようなもとで、本願発明に係るケーブルコネクタ装置の一例を構成するプラグコネクタ１１が、それに対する相手方コネクタ装置を構成するリセプタクルコネクタ１２に嵌合接続される。
【００３５】
その際には、図１１（斜視図），図１２（回路基板１４の図示が省略された平面図），図１３（回路基板１４の図示が省略された側面図），図１４（回路基板１４の図示が省略された底面図）、及び、図１３におけるXV−XV線断面をあらわす図１５に示されるように、プラグコネクタ１１に複数の同軸ケーブル１３が接続されたもとで、プラグコネクタ１１の絶縁ハウジング１５が、その内部にリセプタクルコネクタ１２の絶縁ハウジング３５に設けられた突起部３５ａを受け入れる状態もって、リセプタクルコネクタ１２の絶縁ハウジング３５との嵌合状態をとる。それにより、複数の同軸ケーブル１３を伴ったプラグコネクタ１１が回路基板１４を伴ったリセプタクルコネクタ１２との嵌合接続状態におかれる。
【００３６】
このとき、図１５に示されるように、プラグコネクタ１１の絶縁ハウジング１５に配列配置された複数のコンタクト１６の夫々における接触部１６ｂが、リセプタクルコネクタ１２の絶縁ハウジング３５に配列配置された複数のコンタクト３７の夫々における、突起部３５ａの内側壁面及び天頂面に沿うものとして配された接触部３７ｂに当接して接触接続され、それにより、プラグコネクタ１１における複数のコンタクト１６がリセプタクルコネクタ１２における複数のコンタクト３７に夫々接触接続された状態が得られる。その結果、複数のコンタクト１６における接続部１６ａに夫々接続された複数の同軸ケーブル１３の中心導体１３ａが、複数のコンタクト１６及び複数のコンタクト３７を介して、複数のコンタクト３７における接続部３７ａが夫々接続された回路基板１４の部品搭載面１４ａに設けられた複数の端子部に夫々連結され、複数の同軸ケーブル１３が回路基板１４に電気的に連結される。
【００３７】
また、プラグコネクタ１１がリセプタクルコネクタ１２との嵌合接続状態におかれたときには、図１１〜図１４に示されるように、プラグコネクタ１１の弾性シェル部材１７における、絶縁ハウジング１５の周囲に沿って伸びる係合部分を成す帯状部２６が、その内面部をリセプタクルコネクタ１２の保持金具部材３６における本体部３８の外面部に弾性当接させて、リセプタクルコネクタ１２に対する係止作用を果たすものとされる。斯かるもとにあっては、プラグコネクタ１１の弾性シェル部材１７における帯状部２６及び延伸帯状部２７がバネ部を形成していて、延伸帯状部２７がカバー部２５から伸びる抑え部２８による延伸帯状部２７の外側からの位置規制を受けるものとされているので、帯状部２６の内面部がリセプタクルコネクタ１２の保持金具部材３６における本体部３８の外面部に弾性当接する状態は、弾性シェル部材１７における帯状部２６及び延伸帯状部２７が形成するバネ部による弾性押圧力が帯状部２６に作用して、帯状部２６の内面部をリセプタクルコネクタ１２の保持金具部材３６における本体部３８の外面部に押し付けるもとでとられることになる。その際、帯状部２６の端部から屈曲して伸びて自由端部を有した延伸帯状部２７が設けられていて、その延伸帯状部２７がカバー部２５から伸びる抑え部２８による外側からの位置規制を受けるものとされていることにより、帯状部２６及び延伸帯状部２７が構成するバネ部が帯状部２６に及ぼす弾性押圧力は、抑え部２８による外側からの位置規制を受けるものとされた延伸帯状部２７によって増強されたものとされる。
【００３８】
従って、上述のように構成される弾性シェル部材１７を備えたプラグコネクタ１１は、その全体の低背化が図られ、それに伴って帯状部２６を含んだ弾性シェル部材１７が、リセプタクルコネクタ１２が固定された回路基板１４の部品搭載面１４ａに直交する方向の寸法が比較的小とされるもとにあっても、弾性シェル部材１７における帯状部２６が充分な弾性を備えたものとされるとともに、弾性シェル部材１７における帯状部２６の経時変化がもたらす悪影響を受け難いものとされる。その結果、プラグコネクタ１１によれば、その全体の低背化が図られたもとにおいても、リセプタクルコネクタ１２との嵌合接続状態におかれるとき、弾性シェル部材１７における帯状部２６及び延伸帯状部２７が構成するバネ部による弾性押圧力が、帯状部２６に作用して帯状部２６の内面部をリセプタクルコネクタ１２の保持金具部材３６における本体部３８の外面部に押し付ける状態が適正に得られることになり、プラグコネクタ１１がリセプタクルコネクタ１２に嵌合接続された状態を適正に維持することができる。
【産業上の利用可能性】
【００３９】
以上のような本願発明に係るケーブルコネクタ装置は、複数の比較的細い同軸ケーブル等のケーブルを各種の電気部品が取り付けられる回路基板に接続するために複数のケーブルが接続されて用いられ、相手方コネクタ装置との嵌合接続状態におかれるとき相手方コネクタ装置に対する弾性保持係合状態をとる係合部分を含んだ弾性シェル部材を備えていて、全体の低背化が図られたもとにあっても、弾性シェル部材における係合部分を充分な弾性を具えたものとすることができるとともに、弾性シェル部材における係合部分の経時変化がもたらす悪影響を受け難いものとされて、相手方コネクタ装置に嵌合接続された状態を適正に維持することができるものとして、様々な電子機器等に広く適用され得るものである。
【符号の説明】
【００４０】
１1 ・・・プラグコネクタ（ケーブルコネクタ装置），  １２・・・リセプタクルコネクタ（相手方コネクタ装置），  １３・・・同軸ケーブル，  １３ａ・・・中心導体，  １３ｂ・・・外側導体，  １４・・・回路基板，  １４ａ・・・部品搭載面，  １５，３５・・・絶縁ハウジング，  １６，３７・・・コンタクト，  １６ａ，３７ａ・・・接続部，  １６ｂ，３７ｂ・・・接触部，  １７・・・弾性シェル部材，  １８・・・インナーシェル部材，  ２０・・・天板状部，  ２１・・・ケーブル支持部，  ２２・・・グラウンドバー，  ２５・・・カバー部，  ２６・・・帯状部，  ２７・・・延伸帯状部，  ２８・・・抑え部，  ２９・・・規制部分，  ３０・・・覆い部分，  ３６・・・保持金具部材，  ３８・・・本体部，  ３９・・・固定部
【図１】
2019197684.tif 000003
【図２】
2019197684.tif 000004
【図３】
2019197684.tif 000005
【図４】
2019197684.tif 000006
【図５】
2019197684.tif 000007
【図６】
2019197684.tif 000008
【図７】
2019197684.tif 000009
【図８】
2019197684.tif 000010
【図９】
2019197684.tif 000011
【図１０】
2019197684.tif 000012
【図１１】
2019197684.tif 000013
【図１２】
2019197684.tif 000014
【図１３】
2019197684.tif 000015
【図１４】
2019197684.tif 000016
【図１５】
2019197684.tif 000017